(57)【要約】  複数の無線通信受信機を低電力状態から通常状態に起動させるための多重化された起動パケットを無線で与える方法が与えられる。多重化された起動パケットは個々の起動パケットの複合を備え、各個々の起動パケットは複数の無線通信受信機のうちの１つにアドレス指定される。本方法は、多重化された起動パケットの個々の起動パケットの数Ｎを決定することと、個々の起動パケットの各々について、ｎ＝１．．．Ｎとして時間オフセットＴｏ（ｎ）を決定することと、時間オフセットＴｏ（ｎ）をもつ、Ｎ個の個々の起動パケットすべてを備える時間領域多重化信号として、多重化された起動パケットを生成することと、多重化された起動パケットを送信することとを含む。ネットワークノードは本方法を実行するように構成される。【選択図】図５
2021525048.tif 000002
【特許請求の範囲】
【請求項１】
複数の無線通信受信機を低電力状態から通常状態に起動させるための多重化された起動パケットを無線で与える方法であって、前記多重化された起動パケットが個々の起動パケットの複合を備え、各個々の起動パケットが前記複数の無線通信受信機のうちの１つにアドレス指定され、前記方法が、
前記多重化された起動パケットの個々の起動パケットの数Ｎを決定することと、
前記個々の起動パケットの各々について、ｎ＝１．．．Ｎとして時間オフセットＴｏ（ｎ）を決定することと、
前記時間オフセットＴｏ（ｎ）をもつ、Ｎ個の前記個々の起動パケットすべてを備える時間領域多重化信号として、前記多重化された起動パケットを生成することと、
前記多重化された起動パケットを送信することと
を含む方法。
【請求項２】
前記個々の起動パケットが、振幅シフトキーイング信号である信号を備える、請求項１に記載の方法。
【請求項３】
前記信号が部分オンオフキーイング（Ｐ−ＯＯＫ）方式に従って変調される、請求項２に記載の方法。
【請求項４】
前記Ｐ−ＯＯＫ方式がマンチェスターコーディングを含む、請求項３に記載の方法。
【請求項５】
前記多重化された起動パケットの個々の起動パケットの最大数Ｎｍａｘが、前記多重化された起動パケットの起動シンボルの長さＴｂと、各個々の起動パケットのための割り当てられたシンボル部分の長さＴＮＺとから、関係Ｔｂ／ＴＮＺよりも小さいかまたはそれに等しい最も大きい整数になるように決定され、前記多重化された起動パケットの個々の起動パケットの前記数Ｎの前記決定が、Ｎ≦Ｎｍａｘとなるように行われる、請求項１から４のいずれか一項に記載の方法。
【請求項６】
前記多重化された起動パケットの前記生成が、前記個々の起動パケット間にガードインターバルを挿入することを含み、前記多重化された起動パケットの個々の起動パケットの最大数Ｎｍａｘが、前記多重化された起動パケットの起動シンボルの長さＴｂと、各個々の起動パケットのための割り当てられたシンボル部分の長さＴＮＺと前記ガードインターバルの長さｄとの和から、関係Ｔｂ／（ＴＮＺ＋ｄ）よりも小さいかまたはそれに等しい最も大きい整数になるように決定され、前記多重化された起動パケットの個々の起動パケットの前記数Ｎの前記決定が、Ｎ≦Ｎｍａｘとなるように行われる、請求項１から４のいずれか一項に記載の方法。
【請求項７】
前記多重化された起動パケットが、無線媒体上でリッスンビフォアトーク（ＬＢＴ）手法に従って採用される送信のデータフィールド中に与えられ、前記データフィールドは、信号フィールドとペイロードフィールドとを備え、かつ、プリアンブルの後に与えられる、請求項１から６のいずれか一項に記載の方法。
【請求項８】
前記信号フィールドが、アドレス指定可能な無線通信受信機の各々のための一意のインジケータを備える、請求項７に記載の方法。
【請求項９】
無線通信システムのネットワークノードであって、前記ネットワークノードは、複数の無線通信受信機を低電力状態から通常状態に起動させるための多重化された起動パケットを無線で与えるように構成され、前記多重化された起動パケットが個々の起動パケットの複合を備え、各個々の起動パケットが前記複数の無線通信受信機のうちの１つにアドレス指定され、前記ネットワークノードは、
前記多重化された起動パケットの個々の起動パケットの数Ｎを決定し、前記個々の起動パケットの各々について、ｎ＝１．．．Ｎとして時間オフセットＴｏ（ｎ）を決定し、前記時間オフセットＴｏ（ｎ）をもつ、Ｎ個の前記個々の起動パケットすべてを備える時間領域多重化信号として、前記多重化された起動パケットを生成するように構成された通信コントローラと、
前記多重化された起動パケットを送信するように構成された送信機と
を備える、ネットワークノード。
【請求項１０】
前記個々の起動パケットが、振幅シフトキーイング信号である信号を備える、請求項９に記載のネットワークノード。
【請求項１１】
前記信号が部分オンオフキーイング（Ｐ−ＯＯＫ）方式に従って変調される、請求項１０に記載のネットワークノード。
【請求項１２】
前記ＯＯＫ方式がマンチェスターコーディングを含む、請求項１１に記載のネットワークノード。
【請求項１３】
前記通信コントローラが、前記多重化された起動パケットのシンボルの長さＴｂと、前記個々の起動パケットのシンボル部分の長さＴＮＺとから、関係Ｔｂ／ＴＮＺよりも小さいかまたはそれに等しい最も大きい整数になるように、前記多重化された起動パケットの個々の起動パケットの最大数Ｎｍａｘを決定するように構成され、前記多重化された起動パケットの個々の起動パケットの前記数Ｎの前記決定が、Ｎ≦Ｎｍａｘとなるように行われる、請求項９から１２のいずれか一項に記載のネットワークノード。
【請求項１４】
前記多重化された起動パケットの前記生成が、前記個々の起動パケット間へのガードインターバルの挿入を含み、前記通信コントローラが、前記起動パケットのシンボルの長さＴｂと、前記個々の起動パケットのシンボル部分の長さＴＮＺと前記ガードインターバルの長さｄとの和から、関係Ｔｂ／（ＴＮＺ＋ｄ）よりも小さいかまたはそれに等しい最も大きい整数になるように、前記多重化された起動パケットの個々の起動パケットの最大数Ｎｍａｘを決定するように構成され、前記多重化された起動パケットの個々の起動パケットの前記数Ｎの前記決定が、Ｎ≦Ｎｍａｘとなるように行われる、請求項９から１２のいずれか一項に記載のネットワークノード。
【請求項１５】
前記多重化された起動パケットが、無線媒体上でリッスンビフォアトーク（ＬＢＴ）手法に従って採用される送信のデータフィールド中に与えられ、前記データフィールドは、信号フィールドとペイロードフィールドとを備え、かつ、プリアンブルの後に与えられる、請求項９から１４のいずれか一項に記載のネットワークノード。
【請求項１６】
前記信号フィールドが、アドレス指定可能な無線通信受信機の各々のための一意のインジケータを備える、請求項１５に記載のネットワークノード。
【請求項１７】
ネットワークノードのプロセッサ上で実行されたとき、前記ネットワークノードに請求項１から８のいずれか一項に記載の方法を実行させる命令を備えるコンピュータプログラム。
【発明の詳細な説明】
【技術分野】
【０００１】
本発明は、一般に、起動（wake-up）信号のプロビジョンに関する。特に、本発明は、起動パケット内で複数の無線デバイスを個々にアドレス指定するために起動信号を多重化することに関する。
【背景技術】
【０００２】
起動無線は、無線デバイスの低エネルギー動作を可能にするための技術である。この技術は、たとえば起動信号（ＷＵＳ）が与えられる起動無線（ＷＵＲ）ソリューションのために、マンチェスターコーディングを伴うオン／オフキーイング（ＯＯＫ）変調方式の使用が企図される、無線ローカルエリアネットワーク（ＷＬＡＮ）または他の無線通信ソリューションにおいて使用され得る。このコンテキストでは、ＷＵＳのために、たとえば少なくとも２つのレート、たとえば６２．５ｋｂｐｓおよび２５０ｋｂｐｓがあり得る。ＯＯＫを使用する理由は、それが、極めて低い複雑度で実装され得る包絡線検出器を使用して復調され得るからである。
【０００３】
信号は、オン／オフキーイングを使用するとき、「オン」期間の前にガードインターバルを有し得る。このことの恩恵は、許容電力はある時間にわたって計算されるので、「オン」期間の電力が上がり得ることである。手短に言えば、信号の同じエネルギーがより短い時間で送られ、またそれによってより短い時間で受信され得る場合、復調のために使用される受信された信号はあまり雑音エネルギーを含んでおらず、したがって信号の信号対雑音比が改善される。ガードインターバルを付加する他の理由もあり得る。これを達成するいくつかの方法が、「Ｐａｒｔｉａｌ  ＯＯＫ−Ｇｅｎｅｒａｌｉｚｉｎｇ  ｔｈｅ  Ｂｌａｎｋ  ＧＩ  Ｉｄｅａ」という名称の寄稿記事ＩＥＥＥ８０２．１１−１７／１６７３ｒ１、および「ＷＵＲ１２８  ｕｓ  Ｐｒｅａｍｂｌｅ  Ｄｅｓｉｇｎ」という名称のＩＥＥＥ８０２．１１−１７／１６６５ｒ３に提示されている。
【０００４】
上記で説明した技術を適用することは、「サイレント」部分が送信のために使用されず、これはスペクトル効率の減少につながることを暗示する。
【０００５】
起動無線技術に依拠する低エネルギーエンティティは将来多くなることが予想されるため、スペクトル効率を十分に保ちたいという要望がある。
【０００６】
この背景技術セクションで開示されている上記の情報は、発明の背景の理解の向上のためのものにすぎず、したがって、当業者にすでに知られている従来技術を形成しない情報を含み得る。
【発明の概要】
【０００７】
本発明は、無線デバイスを個々にアドレス指定する起動信号の多重化は起動パケット中に多重化され得るという理解に基づき、その場合には、各起動信号がそれ自体のパケット中に与えられるレガシー手法と比較して、スペクトル効率が増加する。
【０００８】
第１の態様によれば、複数の無線通信受信機を低電力状態から通常状態に起動させるための多重化された起動パケットを無線で与える方法であって、多重化された起動パケットが個々の起動パケットの複合を備え、各起動パケットが複数の無線通信受信機のうちの１つにアドレス指定される、方法が提供される。本方法は、多重化された起動パケットの個々の起動パケットの数Ｎを決定することと、個々の起動パケットの各々について、ｎ＝１．．．Ｎとして時間オフセットＴｏ（ｎ）を決定することと、時間オフセットＴｏ（ｎ）をもつ、Ｎ個の個々の起動パケットすべてを備える時間領域多重化信号として、多重化された起動パケットを生成することと、多重化された起動パケットを送信することとを含む。
【０００９】
起動パケットは、振幅シフトキーイング信号である信号を備え得る。信号は部分オンオフキーイング（Ｐ−ＯＯＫ）方式に従って変調され得る。Ｐ−ＯＯＫ方式はマンチェスターコーディングを含み得る。
【００１０】
多重化された起動パケットの個々の起動パケットの最大数Ｎｍａｘは、多重化された起動パケットの起動シンボルの長さＴｂと、各個々の起動パケットのための割り当てられたシンボル部分の長さＴＮＺとから、関係Ｔｂ／ＴＮＺよりも小さいかまたはそれに等しい最も大きい整数になるように決定され得、多重化された起動パケットの個々の起動パケットの数Ｎの決定が、Ｎ≦Ｎｍａｘとなるように行われ得る。代替的に、多重化された起動パケットの生成が、個々の起動パケット間にガードインターバルを挿入することを含む場合、起動シンボルの長さＴｂと、割り当てられたシンボル部分の長さＴＮＺ＋ガードインターバルの長さｄとから、起動パケットの起動信号の最大数Ｎｍａｘが、関係Ｔｂ／（ＴＮＺ＋ｄ）よりも小さいかまたはそれに等しい最も大きい整数になるように決定され得、多重化された起動パケットの個々の起動パケットの数Ｎの決定は、Ｎ≦Ｎｍａｘとなるように行われ得る。
【００１１】
多重化された起動パケットは、無線媒体上でリッスンビフォアトーク（ＬＢＴ）手法に従って採用される送信のデータフィールド中に与えられ得、前記データフィールドは、信号フィールドとペイロードフィールドとを備え、かつ、プリアンブルの後に与えられる。信号フィールドは、アドレス指定可能な無線通信受信機の各々のための一意のインジケータを備え得る。
【００１２】
第２の態様によれば、無線通信システムのネットワークノードが提供される。ネットワークノードは、複数の無線通信受信機を低電力状態から通常状態に起動させるための多重化された起動パケットを無線で与えるように構成され、多重化された起動パケットは個々の起動パケットの複合を備え、各個々の起動パケットは複数の無線通信受信機のうちの１つにアドレス指定される。ネットワークノードは、多重化された起動パケットの個々の起動パケットの数Ｎを決定し、個々の起動パケットの各々について、ｎ＝１．．．Ｎとして時間オフセットＴｏ（ｎ）を決定し、時間オフセットＴｏ（ｎ）をもつ、Ｎ個の個々の起動パケットすべてを備える時間領域多重化信号として、多重化された起動パケットを生成するように構成された通信コントローラと、多重化された起動パケットを送信するように構成された送信機とを備える。
【００１３】
個々の起動パケットは、振幅シフトキーイング信号である信号を備え得る。個々の起動パケットは部分オンオフキーイング（Ｐ−ＯＯＫ）方式に従って変調され得る。Ｐ−ＯＯＫ方式はマンチェスターコーディングを含み得る。
【００１４】
通信コントローラは、多重化された起動パケットの起動シンボルの長さＴｂと、各個々の起動パケットのための割り当てられたシンボル部分の長さＴＮＺとから、関係Ｔｂ／ＴＮＺよりも小さいかまたはそれに等しい最も大きい整数になるように、多重化された起動パケットの個々の起動パケットの最大数Ｎｍａｘを決定するように構成され得、多重化された起動パケットの個々の起動パケットの数Ｎの決定は、Ｎ≦Ｎｍａｘとなるように行われ得る。代替的に、多重化された起動パケットの生成は、個々の起動パケット間へのガードインターバルの挿入を含み得、通信コントローラは、起動シンボルの長さＴｂと、割り当てられたシンボル部分の長さＴＮＺ＋ガードインターバルの長さｄとから、関係Ｔｂ／（ＴＮＺ＋ｄ）よりも小さいかまたはそれに等しい最も大きい整数になるように、多重化された起動パケットの個々の起動パケットの最大数Ｎｍａｘを決定するように構成され得、多重化された起動パケットの個々の起動パケットの数Ｎの決定は、Ｎ≦Ｎｍａｘとなるように行われ得る。
【００１５】
多重化された起動パケットは、無線媒体上でリッスンビフォアトーク（ＬＢＴ）手法に従って採用される送信のデータフィールド中に与えられ得、前記データフィールドは、信号フィールドとペイロードフィールドとを備え、かつ、プリアンブルの後に与えられ得る。信号フィールドは、アドレス指定可能な無線通信受信機の各々のための一意のインジケータを備え得る。
【００１６】
第３の態様によれば、ネットワークノードのプロセッサ上で実行されたとき、ネットワークノードに第１の態様による方法を実行させる命令を備えるコンピュータプログラムが提供される。
【００１７】
本発明の上記、ならびに追加の目的、特徴および利点は、添付の図面を参照しながら、本発明の好ましい実施形態の以下の例示的で非限定的な詳細な説明によってより良く理解されよう。
【図面の簡単な説明】
【００１８】
【図１】旧来のＯＦＤＭおよびＯＯＫ送信に関係するオン／オフキーイング（ＯＯＫ）を概略的に示す図である。
【図２】旧来のＯＦＤＭおよびＯＯＫ送信に関係するガードインターバルをもつＯＯＫを概略的に示す図である。
【図３】部分ＯＯＫを概略的に示す図である。
【図４】起動信号の多重化を概略的に示す図である。
【図５】一実施形態による方法を示すフローチャートである。
【図６】起動信号のために好適なフォーマットを概略的に示す図である。
【図７】一実施形態によるネットワークノードを概略的に示すブロック図である。
【図８】コンピュータ可読媒体および処理デバイスを概略的に示す図である。
【発明を実施するための形態】
【００１９】
図１は、旧来の直交周波数分割多重（ＯＦＤＭ）およびＯＯＫ送信に関係するオン／オフキーイング（ＯＯＫ）の例を概略的に示す。図１の上側の信号図は、たとえば、ＷＵＲがそれと一緒に動作するように意図された主トランシーバによって使用されることが仮定される、旧来のＯＦＤＭ送信を示す。その下に、ＯＦＤＭシンボルレートと整合させられた、この例ではマンチェスターコーディングを使用する旧来のＯＯＫ送信についての信号図が与えられている。さらに下側の信号図は、ガードインターバル（ＧＩ）がＯＮ部分のために適用されるＯＯＫ送信を示す。
【００２０】
この手法は、参照によりそれらの全体が組み込まれる、アメリカ合衆国において出願された仮特許出願（ＵＳ６２／５７４４６４、ＵＳ６２／５８１２９７、およびＵＳ６２／５８１２４５）において部分ＯＯＫと呼ばれている。ここで、用語ＴＺ（「時間０」）は、ＧＩとして使用される信号の部分に対して使用されるのに対し、アクティブな部分、すなわちシンボル値間を区別するために信号がアクティブに高いまたは低い部分は、ＴＮＺ（「時間非０」）と呼ばれる。たとえば１つまたは複数のビットを表すシンボルのための時間Ｔｂは、したがってＴｂ＝ＴＺ＋ＴＮＺである。
【００２１】
図２は、旧来のＯＦＤＭおよびＯＯＫ送信に関係するガードインターバルの例とともに旧来のＯＯＫを概略的に示す。図１と同様に、図２の上側の信号図は、たとえば、ＷＵＲがそれと一緒に動作するように意図された主トランシーバによって使用されることが仮定される、旧来のＯＦＤＭ送信を示す。その下に、ＯＦＤＭシンボルレートと整合させられた、この例ではマンチェスターコーディングを使用する、旧来のＯＯＫ送信についての信号図が与えられている。さらに下側の信号図は、ＧＩがＯＮ部分のために適用されるＯＯＫ送信を示す。さらに、ＯＯＫ信号のレートは、図１に与えられるように１つおきのＯＦＤＭシンボル時間に１つのＯＯＫシンボルの代わりに、ＯＦＤＭシンボル時間当たり１つのＯＯＫシンボルが与えられるように、ここでは図１のものと比較してより高い。
【００２２】
パルス位置変調（ＰＰＭ）は、時間中の異なるロケーションにおいてパルスを送信することによって情報が送信される変調技法である。マンチェスターコーディングを用いるＯＯＫは、したがってＰＰＭ方式とも見られ得る。これは、特に、ＧＩが、マンチェスターコーディングを用いるＯＯＫのＯＮ部分のために導入されるときに明らかになる。本開示では、変調をＯＯＫと考えるが、変調はＰＰＭの観点からも説明され得る。
【００２３】
ＴＮＺが小さくなり、ＴＺが大きくなるほど、データを送信するために使用されるチャネルの時間は少なくなる。チャネルは常に送信データのために使用されるとは限らないので、スペクトル効率は低いと考えられ得る。スペクトル効率を改善するために、ここでは、いくつかの起動パケットを多重化するためにＴＺ部分を使用することが提案され、各起動パケットは個々の起動パケットを備える多重化された起動パケットが形成されるように、個々の受信エンティティに関連づけられる。これは、時間関係がＴＺ≧ＴＮＺであるときはいつでも可能である。いくつの信号が多重化され得るかは、使用される特定のヌメロロジー（numerology）に依存する。図３は、時間オフセットＴＯを用いる部分ＯＯＫのためのヌメロロジーの定義を概略的に示す。図３では、原理のより容易な説明のために、マンチェスターコーディングは適用されないが、マンチェスターコーディングは、説明された原理の下で等しく実現可能であることに留意されたい。したがって、ビット時間Ｔｂは、Ｔｂ＝ＴＯ＋ＴＮＺ＋ＴＺ−ＴＯである（すなわち、定義は、ＴＯの導入以外、上記と同じである）。
【００２４】
異なる個々の起動パケットに対して異なって割り当てられる時間オフセットＴＯの導入とともに、複数の個々の起動パケットシンボルが、多重化された起動パケットのシンボル持続時間Ｔｂ中に多重化され得る。図４は、この原理を適用することによる起動信号の多重化を概略的に示す。上側部分は、前に定義されたシンボル時間Ｔｂを示し、次に、異なるオフセットを適用することによる多重化されたシンボルが示されており、その下に、提示された手法のために適応させられたＧＩを含み、異なるオフセットを使用した多重化されたシンボルが示されている。下側の信号図において、いくつかのシンボル時間を使用されないままにしておく随意の特徴について、以下でさらに説明する。
【００２５】
図４の示された上側の多重化図からは、ＷＵＲ  ｎをアドレス指定するｎがインデックス付けされた個々の起動パケットには、たとえばタイミングオフセットＴＯ＝ｎＴＮＺが与えられることがわかる。図４の示された下側の多重化図からは、ＷＵＲ  ｎをアドレス指定するｎがインデックス付けされた個々の起動パケットには、たとえば、ｄをＧＩの持続時間として、タイミングオフセットＴＯ＝ｎ（ＴＮＺ＋ｄ）が与えられることがわかる。ＧＩを導入する理由は、シンボル間干渉を低減するためである。いくつかの使用されないシンボル時間を導入する理由は、それぞれの個々の起動パケットの信号について所与の電力に関係する平均電力出力を制限するためである。そのような考慮がなされる必要がない場合、必要な場合、すべてのシンボル時間が使用され得る。
【００２６】
上記で説明された図について考えると、１つのシンボル時間Ｔｂ中にＮ個のＷＵＲがアドレス指定され得る、すなわち、上記で与えられた例の場合、ｎは０、…、Ｎ−１である。シンボル時間Ｔｂ当たりアドレス指定可能なＷＵＲの最大数Ｎｍａｘは、シンボル時間Ｔｂと、各ＷＵＲが必要とする時間、すなわち、上記で説明されたＴＮＺまたはＴＮＺ＋ｄとに依存する。
【００２７】
上記で説明されたパラメータ、すなわちＴｂ、ＴＮＺ、ＴＺ、ｄ、Ｎ、Ｎｍａｘなどのうちの１つまたは複数の選択は、設計および実装において行われ得るか、または使用されるシステムもしくは規格の仕様によって固定され得る。たとえば、ＴｂおよびＴＮＺは規格によって固定され得、設計は、一定のＮｍａｘを処理することを目的とし、設計者は、適切な実装を行うためにｄを選定する必要がある。または、設計者は、予想されるシンボル間干渉に関する調査に基づいてｄを選定し、次いで、実現可能なＮｍａｘを決定する。設計はまた、パラメータのうちのいくつかを動的に選択すること、たとえば、経験されたシンボル間干渉に基づいてｄを動的に設定すること、平均電力出力などに関する制約に基づいてＮｍａｘを動的に設定／低減することのためのルールを含み得る。
【００２８】
図５は、実施形態による方法を示すフローチャートである。本方法は、複数のＷＵＲを低電力状態から通常状態に起動させるための多重化された起動パケットを無線で与えることに関する。多重化された起動パケットは個々の起動パケットの複合を備える。各個々の起動パケットは、適切な個々の起動パケットが検出されると無線通信受信機の主トランシーバを起動させるように構成されたＷＵＲを装備された複数の無線通信受信機のうちの１つにアドレス指定される。本方法は、たとえば、アクセスポイント、または無線通信受信機にサーブする他のネットワークノードにおいて実行されるが、無線通信受信機のいずれかとの通信を開始するタスクを有する任意のステーションにおいても実行され得る。本開示のより容易な理解のために、本方法を実行するユニットを以下で「エンティティ」と呼ぶ。エンティティは、多重化された起動パケットの個々の起動パケットの数Ｎを決定し（５０２）、個々の起動パケットの各々について、ｎ＝１．．．Ｎとして時間オフセットＴｏ（ｎ）を決定する（５０４）。それぞれの決定５０２、５０４は、たとえばルールおよび／またはルックアップテーブルに基づいて動的に行われ得るか、または、設計もしくは設定から固定され得る。エンティティは、次いで、時間オフセットＴｏ（ｎ）をもつＮ個の個々の起動パケットすべてを備える時間領域多重化信号として、多重化された起動パケットを生成し（５０６）、多重化された起動パケットを送信する（５０８）。
【００２９】
個々の起動パケットは、上記で説明したように、たとえば、オンオフキーイング（ＯＯＫ）方式に従って変調される、振幅シフトキーイング信号である信号を備え得る。ＯＯＫ方式はマンチェスターコーディングを含み得る。
【００３０】
多重化された起動パケットの個々の起動パケットの最大数Ｎｍａｘはエンティティによって決定され得る（５０１）。たとえば、決定５０１は、多重化された起動パケットのシンボルの長さＴｂと、個々の起動パケットの長さＴＮＺとから行われ得、Ｎｍａｘは、関係Ｔｂ／ＴＮＺよりも小さいかまたはそれに等しい最も大きい整数になるように決定され（５０１）、多重化された起動パケットの個々の起動パケットの数Ｎの決定５０２は、Ｎ≦Ｎｍａｘとなるように行われる。
【００３１】
多重化された起動パケットの生成５０６は、個々の起動パケット間にガードインターバルを挿入することを含み得る。多重化された起動パケットの個々の起動パケットの最大数Ｎｍａｘの決定５０１は、その場合、当然影響を受ける。Ｎｍａｘは、次いで、多重化された起動パケットの長さＴｂと、個々の起動パケットの長さＴＮＺ＋ガードインターバルの長さｄとから、関係Ｔｂ／（ＴＮＺ＋ｄ）よりも小さいかまたはそれに等しい最も大きい整数になるように決定され得（５０１）、多重化された起動パケットの個々の起動パケットの数Ｎの決定５０２は、Ｎ≦Ｎｍａｘとなるように行われる。
【００３２】
多重化された起動パケットは、たとえば、上記で説明したように、たとえば、無線媒体上でリッスンビフォアトーク（ＬＢＴ）手法に従って採用される送信のデータフィールド中に与えられ得、、前記データフィールドは、シグナリングフィールドとペイロードフィールドとを備え、かつ、プリアンブルの後に与えられる。シグナリングフィールドは、アドレス指定可能な無線通信受信機の各々のための一意のインジケータを備え得、インジケータは、システムによってはカラービットと呼ばれ、周波数、変調方式など、同じ媒体アクセス特性を用いて動作するユニットについての媒体競合に対処することを目的とする。
【００３３】
図６は、たとえばＷＬＡＮのために一般的に使用され、起動信号を与えるように修正するのに好適である送信フォーマットを概略的に示す。フォーマットはプリアンブルとデータフィールドとを含む。データフィールドは、シグナリング部分（ＳＩＧ）とペイロード部分とを備える。プリアンブルは、受信機が信号の存在を検出し、同期、チャネル推定などを実行することを可能にする信号を備え得る。シグナリング部分は、ヘッダ情報、データレートに関する指示などを備え得る。ペイロード部分は、その場合、実際のデータ送信を備える。本明細書で説明される手法の適用のために、シグナリング部分ＳＩＧが、代わりに、多重化された起動パケットを与えるために使用される。
【００３４】
ここで提示された手法は、他のタイプのフォーマットに対して等しく実現可能である。
【００３５】
図７は、一実施形態によるネットワークノード７００を概略的に示すブロック図である。ネットワークノードは、アンテナ構成７０２と、アンテナ構成７０２に接続された随意の受信機７０４と、アンテナ構成７０２に接続された送信機７０６と、１つまたは複数の回路を備え得る処理要素７０８と、１つまたは複数の随意の入力インターフェース７１０と、１つまたは複数の随意の出力インターフェース７１２とを備える。インターフェース７１０、７１２は、たとえば電気的または光学的な、オペレータインターフェースおよび／または信号インターフェースであり得る。ネットワークノード７００は、起動信号を与えるように構成される。特に、処理要素７０８が、図１〜図６に関して説明される実施形態を実行するように構成されることによって、ネットワークノード７００は、１つの多重化された起動パケット中の個々の起動パケットとともに複数の無線デバイスを個々にアドレス指定することが可能である。処理要素７０８はまた、受信機７０４と送信機７０６とに接続されるので、受信および送信を可能にするための信号処理から、アプリケーションを実行すること、インターフェース７１０、７１２を制御することなどにわたる、多数のタスクを実現することができる。
【００３６】
本発明による方法は、特に、上記で説明された処理要素７０８が、起動信号通信制御を処理するプロセッサを備える場合について、コンピュータおよび／またはプロセッサなど、処理手段の助けを用いた実装のために好適である。したがって、処理手段、プロセッサ、またはコンピュータに、図１〜図６に関して説明した実施形態のいずれかによる方法のいずれかのステップを実行させるように構成された命令を備えるコンピュータプログラムが提供される。コンピュータプログラムは、好ましくは、図８に示されているように、コンピュータ可読媒体８００上に記憶されたプログラムコードを備え、プログラムコードは、処理手段、プロセッサ、またはコンピュータ８０２によってロードされ、実行されて、好ましくは図１〜図６に関して説明した実施形態のいずれかのように、それにそれぞれ本発明の実施形態による方法を実行させ得る。コンピュータ８０２およびコンピュータプログラム製品８００は、プログラムコードを連続的に実行するように構成され得、本方法のいずれかの行為は、段階的に実行され、および／または実行をリアルタイムベースで実行する。処理手段、プロセッサ、またはコンピュータ８０２は、好ましくは、通常、組込みシステムと呼ばれるものである。したがって、図８に描かれているコンピュータ可読媒体８００およびコンピュータ８０２は、原理の理解を与えるための説明のためのものにすぎないと解釈されるべきであり、要素の直接的な例示として解釈されるべきでない。
【図１】
2021525048.tif 000003
【図２】
2021525048.tif 000004
【図３】
2021525048.tif 000005
【図４】
2021525048.tif 000006
【図５】
2021525048.tif 000007
【図６】
2021525048.tif 000008
【図７】
2021525048.tif 000009
【図８】
2021525048.tif 000010
【国際調査報告】
2021525048.tif 000011
2021525048.tif 000012
2021525048.tif 000013